(57)【要約】【課題】弁が開、閉いずれの状態であっても、操作用ハンドルを、容易かつコンパクトに固定することができる弁装置および弁状態保持部材を提供する。【解決手段】  本発明の弁装置１は、操作用ハンドルとバルブ本体の間に弁棒を挟み込むように挿入される、対をなす脚部を有する略馬蹄形の基体部９１と、弁体が開の状態のとき、第２係止壁２７と第２係止部５３の間に嵌着される開状態保持部９６と、弁体が閉の状態のとき、第１係止壁２６と第１係止部５２の間に嵌着される閉状態保持部９７とを有する弁状態保持部材９を備える。【選択図】図１
2011220365.tif 000002
【特許請求の範囲】
【請求項１】
弁本体の流体流路内に設けられた弁体が、前記弁体に一方の端部が連結された弁棒を介して、前記弁棒の他方の端部に設けられた操作用ハンドルで操作されることによって、前記流体流路が開閉すると共に、
前記弁本体に設けられたストッパ部と、前記操作用ハンドルに設けられ前記弁体が開の状態のときに前記ストッパ部の第１係止壁に係止する第１係止部と、前記操作用ハンドルに設けられ前記弁体が閉の状態のときに前記ストッパ部の第２係止壁に係止する第２係止部とによって前記弁体の動作範囲が規制される弁装置であって、
前記操作用ハンドルと前記バルブ本体の間に前記弁棒を挟み込むように挿入される、対をなす脚部を有する略馬蹄形の基体部と、
前記基体部と一体的に設けられ、前記弁体が開の状態のとき、前記第２係止壁と前記第２係止部の間に嵌着される開状態保持部と、
前記基体部と一体的に設けられ、前記弁体が閉の状態のとき、前記第１係止壁と前記第１係止部の間に嵌着される閉状態保持部と、
を有する弁状態保持部材をさらに備えることを特徴とする弁装置。
【請求項２】
前記脚部同士の間隔は前記弁棒の外径よりも小さく、挿入完了時に前記弁棒と係止する係止部が設けられていることを特徴とする請求項１に記載の弁装置。
【請求項３】
弁本体の流体流路内に設けられた弁体が、前記弁体に一方の端部が連結された弁棒を介して、前記弁棒の他方の端部に設けられた操作用ハンドルで操作されることによって、前記流体流路が開閉すると共に、
前記弁本体に設けられたストッパ部と、前記操作用ハンドルに設けられ前記弁体が開の状態のときに前記ストッパ部の第１係止壁に係止する第１係止部と、前記操作用ハンドルに設けられ前記弁体が閉の状態のときに前記ストッパ部の第２係止壁に係止する第２係止部とによって前記弁体の動作範囲が規制される弁装置に使用され、前記操作ハンドルの位置を固定する弁状態保持部材であって、
前記操作用ハンドルと前記バルブ本体の間に前記弁棒を挟み込むように挿入される、対をなす脚部を有する略馬蹄形の基体部と、
前記基体部と一体的に設けられ、前記弁体が開の状態のとき、前記第２係止壁と前記第２係止部の間に嵌着される開状態保持部と、
前記基体部と一体的に設けられ、前記弁体が閉の状態のとき、前記第１係止壁と前記第１係止部の間に嵌着される閉状態保持部と、
を有することを特徴とする弁状態保持部材。
【請求項４】
前記脚部同士の間隔は前記弁棒の外径よりも小さく、挿入完了時に前記弁棒と係止する係止部が設けられていることを特徴とする請求項３に記載の弁状態保持部材。
【発明の詳細な説明】
【技術分野】
【０００１】
本発明は、流体流路に設けられ流体流路の開閉動作を行う弁装置、前記弁装置の弁体の開閉状態をそれぞれ保持する弁状態保持部材に関するものである。
【背景技術】
【０００２】
従来から、気体や液体などの各種流体を流動させる配管系には、図５（ａ）、（ｂ）に示されるような弁装置が設置され、弁体を開閉することにより流体の流通と遮断が行われている。弁装置１０は、流体が通過する流路が形成された弁本体２と、弁本体２の流路内部に設けられ流路の開閉を行う弁体３と、一端が弁体３に連結された弁棒４と、弁棒４の他端に固着された操作用ハンドル５とを備えている。
弁本体２は、外面上に突出する筒状部２１を有する。筒状部２１は、外部から弁室２２に向かって貫通し、貫通部分は端部から雌ネジ２３、段状の底部２４が形成されている。
弁棒４は、他端から順に、雄ネジ４１、第１段部４２、第２段部４３、第３段部４４が形成され、筒状部２１内に挿入されている。弁棒４は、雌ネジ４１にねじ込まれたブッシング６によって第２段部４３が押さえられて装着されている。第３段部４４と底部２４の間、第２段部４３とブッシング６の端面の間にはスラストリング（不図示）が挟着されており、弁棒４は筒状部２１内に位置決めされつつ回動可能に支持されている。
操作用ハンドル５は、弁棒の端部が挿通する孔５１が形成されており、孔５１に弁棒の端部を挿通させスプリングワッシャ７を介して締結ナット８を締め付けることによって、弁棒の第１段部４２と締結ナット８の間に挟着され固着されている。また、操作用ハンドル５は、孔５１を中心として外周部の一部が略円弧状に切り欠かれ、その切り欠き部の両端に第１係止部５２、第２係止部５３が形成されている。操作用ハンドルを操作して弁棒を回動させたとき、第１係止部５２、第２係止部５３と、筒状部２１の外周に突出しかつ端部より延出して形成されたストッパ２５の両端（第１係止壁２６、第２係止壁２７）とがそれぞれ係止することによって、操作用ハンドルの動作範囲が規制される。
【０００３】
このような手動の弁装置は、操作用ハンドルを操作することによって確実に弁体を操作することができるが、その一方で、振動の激しい場所に設置された場合に振動によって弁体が誤動作することがある。また操作用ハンドルを弁体の開あるいは閉の状態にセットした後に、人や物が操作用ハンドルに不意に接触することによって、操作用ハンドルが誤動作することがある。
【０００４】
このような問題を解決するために、特許文献１では、操作用ハンドルの回動方向に当接する係合部材を備え、その係合部材が操作用ハンドルの回動方向に公差する方向へ移動可能に弾性支持された弁装置が提案されている。この弁装置によれば操作用ハンドルの回動方向に外力が作用しても係合部材が操作用ハンドルの回動を規制するので操作用ハンドルの誤動作が防止される。また、操作用ハンドルを操作する際には、係合部材はハンドルの回動方向と交差する方向に弾性変形して退避させるので操作容易性も併せて確保される。
しかしながら、係合部材を弁装置に弾性支持させるためには、ナットなどによって係合部材を固定する必要がある。そのため、この係合部材を既設の弁装置に適用しようとした場合には、係合部材の装着に操作用ハンドルの着脱作業を伴うので作業が煩雑であるうえ、配管内の流体の流れを一旦中断しなければならない。
【０００５】
そこで、特許文献２には、操作用ハンドルの回動方向の動作を規制する係合位置と、回動動作を可能とする後退位置とを、弾性的に切り換える係合部材が、弁装置と別体で設けられた開閉弁ロック装置が提案されている。この開閉弁ロック装置によれば弁装置の部品交換を伴わずに既設の弁装置に開閉弁のロック機構を設けるので、配管内に流体を流した状態で装着可能である。
【先行技術文献】
【特許文献】
【０００６】
【特許文献１】特開平７−１９８０６１号公報
【特許文献２】特開２００７−１３９０００号公報
【発明の概要】
【発明が解決しようとする課題】
【０００７】
しかし、特許文献２に記載の開閉弁ロック装置は、装置自体を弁装置と別体に設ける構造であるので多くの構成部品を必要とし、構造が複雑で、かつ大きな装置となる。そのために、設置には広いスペースを必要とし、狭所においては設置することができない場合も考えられる。また、特許文献２に記載の開閉弁ロック装置は、操作用ハンドルの一状態をロックをするものであり、操作用ハンドルの二状態をロックすることはできない。すなわち、この開閉弁ロック装置は、弁が開のときの操作用ハンドルの位置と、弁が閉のときの操作用ハンドルの位置の両方をロックさせることはできない。
【０００８】
本発明はこれらの問題点を解決し、弁が開、閉いずれの状態であっても、操作用ハンドルを容易かつコンパクトに固定することができる弁装置および弁状態保持部材を提供することを目的とする。
【課題を解決するための手段】
【０００９】
上記の目的を達成するために、本発明の弁装置は、
弁本体の流体流路内に設けられた弁体が、前記弁体に一方の端部が連結された弁棒を介して、前記弁棒の他方の端部に設けられた操作用ハンドルで操作されることによって、前記流体流路が開閉すると共に、
前記弁本体に設けられたストッパ部と、前記操作用ハンドルに設けられ前記弁体が開の状態のときに前記ストッパ部の第１係止壁に係止する第１係止部と、前記操作用ハンドルに設けられ前記弁体が閉の状態のときに前記ストッパ部の第２係止壁に係止する第２係止部とによって前記弁体の動作範囲が規制される弁装置であって、
前記操作用ハンドルと前記バルブ本体の間に前記弁棒を挟み込むように挿入される、対をなす脚部を有する略馬蹄形の基体部と、
前記基体部と一体的に設けられ、前記弁体が開の状態のとき、前記第２係止壁と前記第２係止部の間に嵌着される開状態保持部と、
前記基体部と一体的に設けられ、前記弁体が閉の状態のとき、前記第１係止壁と前記第１係止部の間に嵌着される閉状態保持部と、
を有する弁状態保持部材をさらに備えることを特徴とするものである。
【００１０】
本発明の弁装置において、前記脚部同士の間隔は前記弁棒の外径よりも小さく、挿入完了時に前記弁棒と係止する係止部が設けられていることが望ましい。
【００１１】
また、本発明の弁状態保持部材は、
弁本体の流体流路内に設けられた弁体が、前記弁体に一方の端部が連結された弁棒を介して、前記弁棒の他方の端部に設けられた操作用ハンドルで操作されることによって、前記流体流路が開閉すると共に、
前記弁本体に設けられたストッパ部と、前記操作用ハンドルに設けられ前記弁体が開の状態のときに前記ストッパ部の第１係止壁に係止する第１係止部と、前記操作用ハンドルに設けられ前記弁体が閉の状態のときに前記ストッパ部の第２係止壁に係止する第２係止部とによって前記弁体の動作範囲が規制される弁装置に使用され、前記操作ハンドルの位置を固定する弁状態保持部材であって、
前記操作用ハンドルと前記バルブ本体の間に前記弁棒を挟み込むように挿入される、対をなす脚部を有する略馬蹄形の基体部と、
前記基体部と一体的に設けられ、前記弁体が開の状態のとき、前記第２係止壁と前記第２係止部の間に嵌着される開状態保持部と、
前記基体部と一体的に設けられ、前記弁体が閉の状態のとき、前記第１係止壁と前記第１係止部の間に嵌着される閉状態保持部と、
を有することを特徴とするものである。
【００１２】
本発明の弁状態保持部材は、  前記脚部同士の間隔は前記弁棒の外径よりも小さく、挿入完了時に前記弁棒と係止する係止部が設けられていることが望ましい。
【発明の効果】
【００１３】
本発明の弁装置および弁状態保持部材は上記の構成であって、弁が開、閉それぞれの状態にあるときに、操作用ハンドルとストッパ部材の間に形成される間隙に嵌着される、開状態保持部と閉状態保持部とを備えるので、弁が開、閉の両状態において操作用ハンドルの位置を、容易かつコンパクトに固定することができる。
【図面の簡単な説明】
【００１４】
【図１】図１は本発明の実施の形態に係る弁装置を示す斜視断面図である。
【図２】図２は本発明の実施の形態に係る弁状態保持部材を示す斜視図である。
【図３】図３（ａ）は開の状態における弁装置の平面図、図３（ｂ）は閉の状態における弁装置の平面図である。
【図４】図４は弁状態保持部材が装着された状態におけるA‐A断面図である。
【図５】図５（ａ）は従来の弁装置を示す斜視断面図である。図５（ｂ）は従来の弁装置の平面図である。
【発明を実施するための形態】
【００１５】
図１に示される弁装置１は、弁状態固定部材９をさらに備えている以外は図５の弁装置１０と同じであるので、同一部分については同一の参照符号を付して説明を省略する。
【００１６】
図２に示されるように、弁状態保持部材９は、基体部９１と、基体部９１の外周の一部が突出するように形成された弁状態保持部９２とからなる。基体部９１は、対をなす脚部９３を有し略馬蹄形の板状に形成されている。対向する脚部９３同士の間の寸法は、筒状部２１の端部と操作用ハンドル５との間で露出する弁棒の外径よりも小さく設けられ、脚部の付け根の内側は弁棒の外周と同一の曲率を有する円弧状の係止部９４が形成されている。他方、脚部９３の端部内側は、端部に向かって拡がるようにテーパ面９５が形成されている。
弁状態保持部９２は、円弧状断面を有する柱状に形成され、基体部９１と一体に設けられ、基体部９１に対して矢印Ａ方向に突出する開状態保持部９６と、矢印Ｂ方向に突出する閉状態保持部９７とを備えている。
【００１７】
弁状態保持部材９はポリアセタールなどの汎用エンジニアリングプラスチックを使用して、射出成形などにより形成される。
【００１８】
次に、弁状態保持部材９を使用したハンドルの固定方法について説明する。
（弁体の開状態の固定）
（１）開弁操作
操作用ハンドル５を、第１係止部５１とストッパ２５の第１係止壁２６とが接触するまで矢印Ｃの方向に操作して、弁棒４と共に弁体３を回動させて開弁する（図３（ａ）を参照）。このとき、第２係止部５３と第２係止壁２７との間に二点鎖線で示す空間Ａが形成される。この状態では、第２係止部５３は空間Ａ内で自由に移動可能であるので、操作用ハンドル５に矢印Ｃと逆の方向に外力が作用すると、操作用ハンドル５が弁体３が閉じる方向に誤動作するおそれがある。
【００１９】
（２）ハンドル固定操作
次いで、図４に示されるように、弁状態保持部材９は、操作用ハンドル５とブッシング６との間に矢印方向に基体部９１が差し込まれて装着される。弁状態保持部材９は、脚部９３、９３同士の間隔が弁棒４の外径よりも若干小さく設けられているので、弁棒４によって脚部９３、９３同士の間隔が弾性的に押し拡げられながら挿入され、係止部９４が弁棒４に係止した時点で装着が完了する。このとき、開弁状態保持部９６は図３（ａ）の空間Ａに収まっており、これにより操作用ハンドル５の第２係止部５３が空間Ａ方向へ移動することが規制され、弁が開の状態で操作用ハンドル５が固定される。
【００２０】
（弁体の閉状態の固定）
弁体の閉状態の固定においては、操作用ハンドル５を第２係止部５３がストッパの第２係止壁２７に接触するまで矢印Ｄ方向に操作して閉弁し、このときできた空間Ｂ（図３（ｂ）を参照）に閉状態保持部９７が収まるように弁状態保持部材９を装着する以外は、弁体の開状態の固定方法と同じであるので説明は省略する。
【００２１】
このように、弁状態保持部材９は、弁体が開の状態のときに空間Ａに収められる開状態保持部９６と、弁体が閉の状態のときに空間Ｂに収められる閉状態保持部９７とを備え、さらに両状態保持部９６、９７は基体部９１の各面に突出するように一体的に設けられているので、弁体の状態に応じて開状態保持部９６と閉状態保持部９７のいずれか一方が選択され弁装置１０に装着されることにより、弁体の開閉状態に対応する操作用ハンドルの位置を一つの部材で容易に固定することができる。
【００２２】
なお、本発明の弁装置および弁状態保持部材は、上記の実施の形態に限定されるものではなく、本発明の趣旨を逸脱しない範囲内で適宜変更することができる。例えば弁状態保持部材は、汎用エンジニアリングプラスチック等の樹脂材料特に限らず金属材料であってもよい。また、既存の弁装置毎にストッパの形状や大きさ、設置位置は異なり、それに伴って図３における空間Ａ、Ｂに相当する空間の形状も弁装置毎に異なるので、開状態保持部および閉状態保持部の形状は、弁装置に応じて変更可能であることは言うまでもない。
【符号の説明】
【００２３】
１、１０：弁装置
２：弁本体
２１：筒状部、２２：弁室、２３：雌ネジ、２４：底部、２５：ストッパ、２６：第1係止壁、２７：第２係止壁
３：弁体
４：弁棒
４１：雄ネジ、４２：第１段部、４３：第２段部、４４：第３段部
５：操作用ハンドル
５１：孔、５２：第１係止部、５３：第２係止部
６：ブッシング
７：スプリングワッシャ
８締結ナット
９：弁状態保持部材
９１：基体部、９２：弁状態保持部、９３：脚部、９４：係止部、９５：テーパ部、９６：開状態保持部、９７：閉状態保持部
【図１】
2011220365.tif 000003
【図２】
2011220365.tif 000004
【図３】
2011220365.tif 000005
【図４】
2011220365.tif 000006
【図５】
2011220365.tif 000007